(57)【特許請求の範囲】
【請求項１】
刈払機のエンジンの回転出力軸に回転刃駆動軸の基端部を連結するとともに、その回転刃駆動軸の周りを覆ったパイプの基端部をエンジン側に固定し、先端部に回転刃を取付けた連結用回転刃駆動軸の基端部および連結用回転刃駆動軸の周りを覆った連結用パイプの基端部を、継手部材を介して、前記エンジン側の回転刃駆動軸およびパイプの先端部に連結する刈払機の回転刃駆動軸の連結構造において、
前記回転刃側の連結用回転刃駆動軸および連結用パイプを、前記継手部材を介して、エンジン側の回転刃駆動軸およびパイプに連結して締付けた締付部材の締付けが緩むと、スプリングの付勢力に抗して締付け状態で継手部材に止められていた締付緩み表示部材が前記スプリングの付勢力によって突出して、締付け緩みを目視できるように構成したことを特徴とする刈払機の回転刃駆動軸の連結構造。
【請求項２】
前記継手部材を介して、エンジン側の回転刃駆動軸およびパイプと前記回転刃側の連結用回転刃駆動軸および連結用パイプとが連結されて締付けられるとともに、前記締付緩み表示部材が締付け状態で継手部材に止められると、前記エンジン側の回転刃駆動軸およびパイプに連結した前記回転刃側の連結用回転刃駆動軸および連結用パイプを取り外すときに押圧操作する抜止ロック部材が、押圧操作できないように前記締付緩み表示部材で覆われるように構成したことを特徴とする請求項１に記載の刈払機の回転刃駆動軸の連結構造。
【発明の詳細な説明】
【０００１】
【発明の属する技術分野】
この発明は、エンジン側の回転刃駆動軸およびその周りを覆ったパイプと、回転刃側の連結用回転刃駆動軸およびその周りを覆った連結用パイプとを連結する刈払機の回転刃駆動軸の連結構造の改良に関するものである。
【０００２】
【従来の技術】
図４は従来一般の刈払機の斜視図、図５は分解したエンジン側の回転刃駆動軸およびそれを覆ったパイプを示す斜視図、図６は分解した回転刃側の連結用回転刃駆動軸およびそれを覆った連結用パイプを示す斜視図であり、２０はエンジン、２１はエンジンの回転出力軸（図示しない）に基端部を連結した回転刃駆動軸（図示しない）の周りを覆ったパイプで、その基端部はエンジン２０側に固定されている。２２はパイプ２１の基端部に設けたグリップで、その近傍にエンジンの回転速度を調整するスロットルレバー２３が設けられている。
【０００３】
２４はスロットルレバー２３の近傍に取付けた肩掛バンド、２５はパイプ２１の前方位置に取付けた片手ハンドル、２６はパイプ２１の前端部に取付けた継手部材、２７はこの継手部材２６に設けた締付部材（締付ボルト）、２８は連結用回転刃駆動軸（図示しない）の周りを覆った連結用パイプで、この連結用回転刃駆動軸の先端部にギヤケース２９内のギヤ（図示しない）を介して回転刃３０が取付けられている。３１は回転刃３０によって撥ね飛ばされた物が作業者側に飛んで来ないように防護するため回転刃３０の一部を覆った安全カバー、３２は不使用時に回転刃３０の刃先部を覆う安全カバー、３３は刈払った草屑がギヤケース２９内に入らないようにしたグラスカバー、３４は図５に示すように分割して運搬・保管時に前記継手部材２６の先端部に装着する保護プラグ、３５は図６に示すように分割して運搬・保管時に前記回転刃側の連結用パイプ２８の基端部に装着した保護キャップである。
【０００４】
【発明が解決しようとする課題】
しかし、前記のような従来の刈払機の回転刃駆動軸の連結構造では、前記エンジン側の回転刃駆動軸およびパイプ２１の先端部に、継手部材２６を介して、前記連結用回転刃駆動軸および連結用パイプ２８を連結して締付部材２７を締付けた場合に、その締付け状態が緩んで、回転刃側の連結用回転刃駆動軸および連結用パイプ２８が取り外れそうになっても、その状態が容易に分からない、という問題があった。
【０００５】
この発明は、そのような問題をなくすために、エンジン側の回転刃駆動軸およびパイプと回転刃側の連結用回転刃駆動軸および連結用パイプとを、継手部材を介して連結した締付けが緩むと、継手部材に設けた締付緩み表示部材がスプリングの付勢力によって突出して、締付け緩みを目視できるようにした刈払機の回転刃駆動軸の連結構造を提供することを目的としたものである。
【０００６】
さらに、エンジン側の回転刃駆動軸およびパイプと回転刃側の連結用回転刃駆動軸および連結用パイプとが、継手部材を介して連結されて締付けられるとともに、前記継手部材に設けた締付緩み表示部材が締付け状態で継手部材に止められると、前記エンジン側の回転刃駆動軸およびパイプに連結した回転刃側の連結用回転刃駆動軸および連結用パイプを取り外すときに押圧操作する抜止ロック部材が、押圧操作できないように、前記締付緩み表示部材で覆われるようにした刈払機の回転刃駆動軸の連結構造を提供することを目的としたものである。
【０００７】
【課題を解決するための手段】
この発明は、前記目的を達成するために、刈払機のエンジンの回転出力軸に回転刃駆動軸１の基端部を連結するとともに、その回転刃駆動軸１の周りを覆ったパイプ２の基端部をエンジン側に固定し、先端部に回転刃を取付けた連結用回転刃駆動軸３の基端部３ａおよび連結用回転刃駆動軸３の周りを覆った連結用パイプ４の基端部４ａを、継手部材５を介して、前記エンジン側の回転刃駆動軸１の先端部１ａおよびパイプ２の先端部２ａに連結する刈払機の回転刃駆動軸の連結構造において、前記回転刃側の連結用回転刃駆動軸３および連結用パイプ４を、前記継手部材５を介して、エンジン側の回転刃駆動軸１およびパイプ２に連結して締付けた締付部材１０の締付けが緩むと、スプリング６の付勢力に抗して締付け状態で継手部材５に止められていた締付緩み表示部材７が前記スプリング６の付勢力によって突出して、締付け緩みを目視できるように構成した刈払機の回転刃駆動軸の連結構造としたものである。
このように構成したことにより、前記エンジン側の回転刃駆動軸１およびパイプ２と、回転刃側の連結用回転刃駆動軸３および連結用パイプ４とを連結した継手部材５を締付ける締付部材１０の締付けが緩むと、スプリング６の付勢力に抗して締付け状態で継手部材５に止められていた締付緩み表示部材７が、スプリング６の付勢力によって突出して締付け緩みを目視できるようになる。
【０００８】
また、前記継手部材５を介して、エンジン側の回転刃駆動軸１およびパイプ２と前記回転刃側の連結用回転刃駆動軸３および連結用パイプ４とが連結されて締付けられるとともに、前記締付緩み表示部材７が締付け状態で継手部材５に止められると、前記エンジン側の回転刃駆動軸１およびパイプ２に連結した回転刃側の連結用回転刃駆動軸３および連結用パイプ４を取り外すときに押圧操作する抜止ロック部材８が、押圧操作できないように前記締付緩み表示部材７で覆われるように構成した刈払機の回転刃駆動軸の連結構造としたものである。
このように構成したことにより、前記エンジン側の回転刃駆動軸１およびパイプ２と、前記回転刃側の連結用回転刃駆動軸３および連結用パイプ４とを継手部材５を介して連結するとともに、前記継手部材５を締付部材１０によって締付けると同時に前記締付緩み表示部材７が締付け状態で継手部材５に止められると、前記抜止ロック部材８が押圧操作できないように締付緩み表示部材７で覆われるので、不用意に抜止ロック部材８を押圧操作するおそれはなくなり、さらに、前記抜止ロック部材８が装着されているスリット９に塵埃や雨水が入りにくくなり、それによって抜止ロック部材８の作動を正常に保つことができる。
【０００９】
【発明の実施の形態】
以下、この発明の刈払機の回転刃駆動軸の連結構造の実施の形態を詳細に説明すると、図１は第１の実施の形態の要部の斜視図、図２は第２の実施の形態の要部の断面図で、図３は同斜視図である。
この刈払機の回転刃駆動軸の連結構造の第１の実施の形態の要部は、図１に示すように、刈払機のエンジンの回転出力軸（図示しない）に回転刃駆動軸１（図２参照）の基端部を連結するとともに、その回転刃駆動軸１の周りを覆ったパイプ２の基端部をエンジン側に固定し、先端部に回転刃を取付けた連結用回転刃駆動軸３（図２参照）の基端部３ａおよび連結用回転刃駆動軸３の周りを覆った連結用パイプ４の基端部４ａを、継手部材５を介して、前記エンジン側の回転刃駆動軸１の先端部１ａおよびパイプ２の先端部２ａに連結する刈払機の回転刃駆動軸の連結構造において、前記回転刃側の連結用回転刃駆動軸３および連結用パイプ４を、前記継手部材５を介して、エンジン側の回転刃駆動軸１およびパイプ２に連結して締付けた締付部材１０の締付けが緩むと、スプリング６の付勢力に抗して締付け状態で継手部材５に止められていた締付緩み表示部材７が前記スプリング６の付勢力によって突出して、締付け緩みを目視できるように構成したものである。
【００１０】
また、この刈払機の回転刃駆動軸の連結構造の第２の実施の形態の要部は、図２および図３に示すように、前記継手部材５を介して、エンジン側の回転刃駆動軸１およびパイプ２と前記回転刃側の連結用回転刃駆動軸３および連結用パイプ４とが連結されて締付けられるとともに、前記締付緩み表示部材７が締付け状態で継手部材５に止められると、前記エンジン側の回転刃駆動軸１およびパイプ２に連結した回転刃側の連結用回転刃駆動軸３および連結用パイプ４を取り外すときに押圧操作する抜止ロック部材８が、押圧操作できないように前記締付緩み表示部材７で覆われるように構成したものである。
【００１１】
なお、図２に示す符号５ａは継手部材５内に設けた軸受５ｂを介して回転自在に支持された継手軸であり、そのエンジン側端部５ａ′に形成した、回転刃駆動軸１の先端部１ａが軸方向には挿入でき回転不可能に継合される継合穴に、回転刃駆動軸１の先端部１ａが継合され、前記継手軸５ａの回転刃側端部５ａ″に形成した、連結用回転刃駆動軸３の基端部３ａが軸方向には挿入でき回転不可能に継合される継合穴に、連結用回転刃駆動軸３の基端部３ａが継合されるようになっている。
【００１２】
また、前記継手部材５の一端部５ｃが、この実施の形態においてはエンジン側のパイプ２の先端部２ａに取付け固定されており、継手部材５の他端部５ｄに回転刃側の連結用パイプ４の基端部４ａが継合されて締付け固定されるようにするために、以下に説明するような構造になっている。なお、図示しないが、継手部材の一端部に回転刃側のパイプの基端部が固定され、継手部材の他端部にエンジン側のパイプの先端部を連結することができるように設計変更することは可能である。
【００１３】
図１および図３に示すように、継手部材５の他端部５ｄの図における上部から筒孔に至るスリット９が形成されており、このスリット９内に前記抜止ロック部材８が介在している。また、図２に示すように、この抜止ロック部材８の中間部に穿設された軸孔８ａが、締付部材１０の軸部１０ａに回動自在に嵌合されており、抜止ロック部材８の一端部８ｂがスプリング１１で押上げられて、反対に他端部に形成したロックピン８ｃが押し下げられ、これによって、この継手部材５の他端部５ｄに挿入された連結用パイプ４の基端部４ａに穿設したロック孔４ｂに、前記ロックピン８ｃが嵌合して連結用パイプ４が抜けないようにロックされる。また、このロックを外すときには、継手部材５の平面に形成した凹部５ｅ（図１および図３参照）から突出した抜止ロック部材８の一端部８ｂの上端８ｂ′を前記スプリング１１に抗して押し下げることによって、前記ロックピン８ｃが連結用パイプ４の基端部４ａに穿設したロック孔４ｂから抜けて、連結用パイプ４を抜き取ることができるようになっている。
【００１４】
前記スリット９に直交するように挿入した軸部１０ａの先端部に形成したネジ部（図示しない）は、スリット９を介して分割された継手部材５の一方の分割部５ｆの側面に固定したナット５ｇ（または、図示しないが一方の分割部５ｆに形成したネジ孔）に螺合され、継手部材５の他方の分割部５ｈの側面に摺動自在に添接させた、締付緩み表示部材７の垂直片７ａに穿設した円弧孔７ｂが、前記締付部材１０の軸部１０ａに回動自在に嵌合されており、さらに、締付部材１０を締付けたときに、締付部材１０のノブ１０ｂの内面が、前記垂直片７ａを継手部材５の他方の分割部５ｈの側面に押付けるようになっている。また、前記垂直片７ａに連接して水平片７ｃが形成され、この水平片７ｃの他端に形成した垂直片７ａ′（図３参照）が継手部材５の一方の分割部５ｆの側面に支軸１２によって回動自在に支持され、この支軸１２の周りに締付緩み表示部材７を押し上げるようにスプリング（ねじりばね）６が設けられている。
【００１５】
この発明の刈払機の回転刃駆動軸の連結構造の第１の実施の形態は、図１とともに説明したように構成したので、前記エンジン側の回転刃駆動軸１およびパイプ２と、回転刃側の連結用回転刃駆動軸３および連結用パイプ４とを連結した継手部材５を締付ける締付部材１０の締付けが緩むと、スプリング６の付勢力に抗して締付け状態で継手部材５に止められていた締付緩み表示部材７が、スプリング６の付勢力によって突出して締付け緩みを目視できるようになる。
【００１６】
また、この発明の刈払機の回転刃駆動軸の連結構造の第２の実施の形態は、図２および図３とともに説明したように構成したので、連結用回転刃駆動軸３の基端部３ａを前記継手部材５の継手軸５ａの回転刃側端部５ａ″に形成した継合穴に継合するとともに、連結用パイプ４の基端部４ａを継手部材５の他端部５ｄに継合すると、この連結用パイプ４の基端部４ａに穿設したロック孔４ｂに前記抜止ロック部材８のロックピン８ｃが嵌合して連結用パイプ４が抜けないようにロックされる。そして、締付緩み表示部材７をスプリング（ねじりばね）６に抗して押し下げた状態で、締付部材１０を締付けると、連結用回転刃駆動軸３および連結用パイプ４が、継手部材５を介してエンジン側の回転刃駆動軸１およびパイプ２に抜け取れないように確実に連結される。
【００１７】
この状態においては、前記抜止ロック部材８の一端部８ｂの上端８ｂ′が、前記締付緩み表示部材７の水平片７ｃ（図２および図３参照）によって覆われているので、不用意に抜止ロック部材８の一端部８ｂの上端８ｂ′が押されて、連結用パイプ４が抜けるようなことはなく、また、前記抜止ロック部材８が装着されているスリット９も前記締付緩み表示部材７の水平片７ｃで覆われているので、このスリット９に塵埃や雨水が入りにくくなり、それによって抜止ロック部材８の作動を正常に保つことができる。さらに、締付部材１０の締付けが緩むと、前記締付緩み表示部材７がスプリング（ねじりばね）６に押されて図に示すように押し上げられるので、締付部材１０の締付けが緩んだことが一目瞭然となる。
【００１８】
【発明の効果】
以上説明したように、請求項１に記載の発明は、前記のように構成したことにより、前記エンジン側の回転刃駆動軸およびパイプと、回転刃側の連結用回転刃駆動軸および連結用パイプとを連結した継手部材を締付ける締付部材の締付けが緩むと、スプリングの付勢力に抗して締付け状態で継手部材に止められていた締付緩み表示部材が、スプリングの付勢力によって突出して締付け緩みを目視できるようになる。
【００１９】
また、請求項２に記載の発明は、前記のように構成したことにより、前記エンジン側の回転刃駆動軸およびパイプと、前記回転刃側の連結用回転刃駆動軸および連結用パイプとを継手部材を介して連結するとともに、前記継手部材を締付部材によって締付けると同時に前記締付緩み表示部材が締付け状態で継手部材に止められると、前記抜止ロック部材が押圧操作できないように締付緩み表示部材で覆われるので、不用意に抜止ロック部材を押圧操作するおそれはなくなり、さらに、このスリットに塵埃や雨水が入りにくくなり、それによって抜止ロック部材の作動を正常に保つことができる。
【図面の簡単な説明】
【図１】この発明の第１の実施の形態を示す要部の斜視図である。
【図２】この発明の第２の実施の形態を示す要部の断面図である。
【図３】この発明の第２の実施の形態を示す要部の斜視図である。
【図４】従来一般の刈払機の斜視図である。
【図５】従来一般の刈払機の分解したエンジン側の回転刃駆動軸およびそれを覆ったパイプを示す斜視図である。
【図６】従来一般の刈払機の分解した回転刃側の回転刃駆動軸およびそれを覆ったパイプを示す斜視図である。
【符号の説明】
１      回転刃駆動軸
１ａ      先端部
２      パイプ
２ａ      先端部
３      連結用回転刃駆動軸
３ａ      基端部
４      連結用パイプ
４ａ      基端部
４ｂ      ロック孔
５      継手部材
５ａ      継手軸
５ａ′    エンジン側端部
５ａ″    回転刃側端部
５ｂ      軸受
５ｃ      一端部
５ｄ      他端部
５ｅ      凹部
５ｆ      一方の分割部
５ｇ      ナット
５ｈ      他方の分割部
６      スプリング
７      締付緩み表示部材
７ａ      垂直片
７ａ′    垂直片
７ｂ      円弧孔
７ｃ      水平片
８      抜止ロック部材
８ａ      軸孔
８ｂ      一端部
８ｂ′    上端
８ｃ      ロックピン
９      スリット
１０      締付部材
１０ａ      軸部
１０ｂ      ノブ
１１      スプリング
１２      支軸
２０      エンジン
２１      パイプ
２２      グリップ
２３      スロットルレバー
２４      肩掛バンド
２５      片手ハンドル
２６      継手部材
２７      締付部材
２８      連結用パイプ
２９      ギヤケース
３０      回転刃
３１      安全カバー
３２      安全カバー
３３      グラスカバー
３４      保護プラグ
３５      保護キャップ
【図１】
0003745886.tif 000002
【図２】
0003745886.tif 000003
【図３】
0003745886.tif 000004
【図４】
0003745886.tif 000005
【図５】
0003745886.tif 000006
【図６】
0003745886.tif 000007